Podtech/llm-jp-corpus-v4-ja_patent huggingface dataset:
(57)【要約】      （修正有）【課題】室内空気調和機吸込口より入り込む空気中の微粒子の埃及び塵、オイルミストなどによる機内汚染を防ぐため吸込口で空調フィルターにより捕捉することと洗浄及び交換を容易にする。【解決手段】フィルター網状濾材を袋形にすることにより粗塵は外袋、袋内の不織布フィルターで細塵を捕捉し室内空気調和機内の汚染防止をはかる。又、不織布フィルターは長期使用で劣化した場合交換が容易である。【選択図】図２
0003134637.tif 000002
【実用新案登録請求の範囲】
【請求項１】
室内空気調和機用グリルカバー吸込口を覆いかくす広さの四角フィルター網状濾材を袋形状に裁縫しその袋内部に最大に広がる大きさに裁断された不織布フィルターを入れ外袋フィルターで粗塵、袋内の不織布フィルターで細塵を捕捉して室内空気調和機内汚染防止のできる袋形フィルター。
【考案の詳細な説明】
【技術分野】
【０００１】  本考案は、室内空気調和機のフィルターを袋形状にして取付ける空調フィルター関するものである。
【背景技術】
【０００２】  室内空気調和機の既存純正フィルターは網目の大きさが粗いためより細かい塵粒子を捕捉できない。
【考案の開示】
【考案が解決しようとする課題】
【０００３】  室内空気調和機の粗塵フィルターと細塵捕捉できる不織布フィルターの組み合わせによって粗い塵から細かい塵まで一体フィルターで捕捉する事が課題である。
【課題を解決するための手段】
【０００４】  室内空気調和機のフィルターを袋形状にして、袋内最大に広がる大きさに裁断した不織布フィルターを広げ入れて網目を通過する細かい塵粒子を捕捉する。
【考案の効果】
【０００５】  上述により既存純正フィルターは網目が粗いため、通過する細かい塵は捕捉できなかったが袋形フィルターにすることにより袋内に不織布フィルターを広げ使用できるので細かい塵も捕捉できる。
【考案を実施するための最良の形態】
【０００６】  室内空気調和機のグリルカバー吸込口を覆う広さで、フィルター網状濾材を四角形に２枚裁断し、その３辺端を重ね縫い合わせ１辺端は縫い合わせしない袋形状にする。その袋内に最大広がる大きさに裁断した不織布フィルターを入れて使う形態。
【実施例】
【０００７】  以下添付図面に従って実地例を説明する。図１の２はのフィルター網状濾材で室内空気調和機のグリルカバー吸込口を覆いかくす広さに裁断したものを２枚重ねａｂｃの３辺端を裁縫し袋形にしたもの、使用にあたっては図２のように袋内最大に広がる大きさに裁断した不織布フィルター６を入れて図の３の様に吸込グリルカバー４の内側に吸込口を覆いかくす様に取付金具１と押さえ金枠３で取付使用する。
【産業上の利用可能性】
【０００８】  空調設備メンテナンス、特に室内空気調和機内及び熱交換器の汚染防止と洗浄作業の軽減化
【図面の簡単な説明】
【０００９】
【図１】袋形フィルターの裁縫箇所
【図２】袋形フィルター袋内に不織布フィルターを入れる展開図
【図３】室内空気調和機に袋形フィルター取付展開図
【符号の説明】
【００１０】１    押さえ金枠
２    不織布フィルター収納袋形フィルター
３    取付金具
４    吸込グリルカバー
５    室内空気調和機本体
６    不織布フィルター
【図１】
0003134637.tif 000003
【図２】
0003134637.tif 000004
【図３】
0003134637.tif 000005
(57)【要約】【課題】  卓球用のラケットとラバーの貼り合わせ時に、ラバーをラケットの中心部に貼り合わせることが出来るラバーとラケットの提供。【解決手段】  ラバーの表面下部に設けられている製造メーカー名あるいは商品名ゾーン（３）に左右の中心位置を示すマーク（４）を付し、ラケットにはグリップに左右の中心位置を示すマークを付した。【選択図】図２
0003134887.tif 000002
【実用新案登録請求の範囲】
【請求項１】
ラバー（２）の表面下部に設けられている製造メーカー名あるいは商品名ゾーン（３）の下端にラバー（２）の左右の中心位置を示すマーク（４）を付した卓球用ラバー。
【請求項２】
シェークハンド型ラケット（１）のグリップ（５）のラバー側にラケットの左右の中心位置を示すマーク（６）を、ペンホルダー型ラケット（７）ではグリップ上端のラバー側の平らな個所である非打球面（８）にラケットの左右の中心位置を示すマーク（６）を付した卓球用ラケット。
【請求項３】
請求項１に記載の卓球用ラバーを請求項２に記載の卓球用ラケットに貼り合わせてなる卓球用ラケット。
【考案の詳細な説明】
【技術分野】
【０００１】  本考案は、市販されている卓球用のほぼ正方形の新品ラバーをラケットに貼り合わせる時の左右の位置決め作業を素早く的確に行うものである。
【背景技術】
【０００２】  従来、ラバーをラケットに貼り合わせる際は、ラバーの裏面とラケットの表面に接着剤を塗付し、ラバーの表面下部に設けられている製造メーカー名あるいは商品名のゾーンをラバーの中心部の目安にして、漠然とラケットの中心部への位置決めを行っていた。そして、最後にラケットの外周に合わせて、鋏でラバーの不要部を切り捨てるのが一般的な方法である。【０００３】  卓球用のラケットとラバーについては、俗に言われている初心者用の“ラバー貼りラケット”を除き、ラケットとラバーは別売りになっており、プレーヤー自身の戦型とラケットやラバーの特性によって必要な商品を購入し、卓球用品専門店やプレーヤー本人が手作業で貼り合わせているのが普通である。【０００４】  競技ルールでは、「ラバーには、メーカーのロゴや商標と併せて日本卓球協会あるいは国際卓球連盟の公認マークが付いていなければならない」旨を規定しているものの、ラバーをラケットの中央部に貼り合わせることは定めていない。しかし、多くのプレーヤーは、ラバーの位置がラケットの中央部からずれていれば打球感や返球コントロールに支障があるようで気になり、中央への貼り合わせにこだわっている。【０００５】  ラケットの中心部にラバーを貼ることは意外に難しく、ラバーがラケットの中心部からずれた時は何度も貼り直していた。ところが、この貼り直しには、ラバーとラケットの両面に接着剤を塗付する作業が伴ううえ、これらの乾燥時間にも約５分間を要する面倒なものであった。
【考案の開示】
【考案が解決しようとする課題】
【０００６】  この実情から、ラバーとラケットをそれぞれの左右の中心部に手短かに貼り合せる必要があった。
【課題と解決するための手段】
【０００７】  本考案は、前記の課題を解決するため、ラバーとラケットのそれぞれに左右の中心部を明示するマークを付しておくものである。
【０００８】  すなわち、本考案の第１は、ラバーの表面下部に設けられている製造メーカー名あるいは商品名のゾーンにラバーの左右の中心部を表わすマークを付したことである。
【０００９】  また、本考案の第２は、ラケットのグリップのラバー側に左右の中心部を表わすマークを付したことである。
【考案の効果】
【００１０】  このように構成されているので、ラバーに付されたマーク（４）とラケットに付されたマーク（６）を合わせることにより、ラバーをラケットの中心部への貼り合わせが容易に行える。
【００１１】  これにより、貼り直しの無駄の排除や接着剤の塗り替え不要の大きな経済的効果も期待できる。
【００１２】  さらに、使用するラバーとラケットのメーカーが異なっても、各メーカのラケットやラバーの製品毎に該マークを付しておくなら、ラバーをラケットの中心部に簡単に貼り合わせることができる。
【００１３】  ラバーの左右の中心部を示すマーク（４）の字体の大きさや形状は限定するものではなく、｜、○、▽、文字など全体的なデザインを損わず、しかも競技ルールに反することなく判別できるものなら差し支えない。同様に、ラケットの左右の中心位置を示すマーク（６）の大きさや形状をも限定するものではない。
【００１４】  また、これらのラバーやラケットのマークの付し方は、刻字・着色などいずれの方法でも良いが、前記同様、競技ルールに反しない範囲とする。
【考案を実施するための最良の形態】
【００１５】  本考案に係る左右の中心位置を示すマーク付き卓球用ラバー及びラケットの実施形態を図に示す実施例に基づき説明する。【００１６】  図１と図２は、本考案に係る左右の中心位置を示すマーク付き卓球用ラバー及びラケットの基本的な構成を表わすもので、ラバー（２）の表面下部に設けられている製造メーカー名あるいは商品名ゾーン（３）の下端にラバー（２）の左右の中心位置を示すマーク（４）を付し、ラケット（１）のグリップ（５）のラバー側にはラケットの左右の中心位置を示すマーク（６）が付されている。【００１７】  図３はペンホルダー型のラケット（７）の場合を示すもので、該ラケット（７）ではグリップ上端のラバー側の平らな個所である非打球面（８）にラケットの左右の中心位置を示すマーク（６）を付している。【００１８】  図４は、ラバー（２）の表面下部に設けられている製造メーカー名あるいは商品名ゾーン（３）の下端にあるラバーの左右の中心位置を示すマーク（４）を図２とは異なる形にした例である。
【図面の簡単な説明】
【００１９】
【図１】本考案に係る左右の中心位置を示すマーク付きシェークハンド型ラケットの表面図
【図２】本考案に係る左右の中心位置を示すマーク付きラバーの表面図
【図３】本考案に係る左右の中心位置を示すマーク付きペンホルダー型ラケットの表面図
【図４】本考案に係るマーク付きラバーのマークを図２とは異なる形にした表面図
【符号の説明】
【００２０】  １、  シェークハンド型ラケット
２、  ラバー
３、  製造メーカー名ゾーン
４、  ラバーの左右の中心位置を示すマーク
５、  ラケットのグリップ
６、  ラケットの左右の中心位置を示すマーク
７、  ペンホルダー型ラケット
８、  非打球面
【図１】
0003134887.tif 000003
【図２】
0003134887.tif 000004
【図３】
0003134887.tif 000005
【図４】
0003134887.tif 000006
(57)【要約】      （修正有）【課題】各種自動車のヘッドレストを高温及び汚れから保護することと自動車会社に於いては、新しい安心感や信頼感の手段として、ご提供できるものである。【解決手段】自動車のヘッドレスト２に装着、固定することで遮熱性の発揮と衛生面では、汚れからの保護を可能にした、清潔感のあるヘッドレストシート１である。利用者においては、企業アピールの活用として、社名やメッセージなどが印刷可能で、お客様と企業の満足度を両方上げることのできる新しい商品である。低コストで製作が可能な上、素材は主として紙を使用し、使用後の廃棄処理に関しても自然に配慮したやさしいヘッドレストシートである。【選択図】図１
0003134881.tif 000002
【実用新案登録請求の範囲】
【請求項１】
自動車の座席ヘッドレストに主として紙製の１枚のシートを加工して覆い被せ固定し、広告や社名を印刷できる部分を有するヘッドレストシート。
【考案の詳細な説明】
【技術分野】
【０００１】  本考案は、各種自動車の販売展示車両、整備車両及び納車車両に装着して商品価値を高めることや、汚れ、埃を保護することで不快感を取り除くことを可能にしたヘッドレストシートである。
【背景技術】
【０００２】  従来、自動車業界は、汚れ防止のために布やビニールなどで運転座席全体を覆っている。特に布カバーにおいては、何度も再利用するためにカバー自体に汚れが付いていることが多く、見た目にも良くない現状である。また取り外した後の清掃ができていないことが多い。
【考案の開示】
【考案が解決しようとする課題】
【０００３】  前記の布製カバーは車種、座席ヘッドレストの形状により、毎回交換使用するには、コストが増大となる。考案者は、布製カバーを紙にすることにより、低コストで製作が可能であり、直射日光の熱や汚れから保護するとともに自動車販売会社のＣＳ向上に寄与し、メッセージや広告を印刷することによって、企業アピールの新しい手法を提案するものである。
【課題を解決するための手段】
【０００４】  本考案は、自動車のヘッドレストを覆う紙製のヘッドレストシートであり、シートに社名、メッセージ及び広告などを印刷できるものである。
【考案の効果】
【０００５】  紙製による簡単な製法で、低コストで製作ができ、取り付けも容易で、遮熱効果や汚れからの保護が可能である。さらに企業アピールやメッセージを印刷することができ、装着時のシートに汚れが付かないように、手や髪を清潔にして、装着する事でお客様の満足度を上げることできる。
【考案を実施するための最良の形態】
【０００６】  本考案のヘッドレストシートは、ヘッドレストを上から覆い巻き付けるように装着したものである。【０００７】  材料としては、主として紙製での加工とし、特別な制限はない。【０００８】  ただ、以上説明した材料に限定される訳でなく、安全性、品質等が満たされるものであれば、従来からある材料でも構わないし、今後出現するであろう優れた素材に期待する事もできる。但し、環境問題、資源問題等に配慮して、焼却やリサイクルに適した材料を選ぶ必要がある。
【実施例１】
【０００９】  以下、本考案の実施例を図面に基づいて説明する【００１０】  図１は、ヘッドレストシート１をヘッドレスト２に上から覆い被せ、座席の首の部分５で折り曲げて装着した側面図である。ヘッドレストの高温を緩和させ、汚れ防止に効果を発揮する。さらに社名やメッセージの印刷できるフロント面３、リア面４が可能となり、さらなる信頼感と安心感を醸成する。【００１１】  図２は、ヘッドレストシートの展開図を示し、１枚物の紙を裁断、加工をした完成品である。要望により社名やメッセージなどを印刷３、４スペースを確保しており、切り込み加工した５が３箇所有するのは、ヘッドレスト２のサイズが異なる場合のため、いずれかに適合するように設定した。また、ヘットレストシートの左右サイズは要望により変更でき、特に制限を持たないものとする。
【図面の簡単な説明】
【００１２】
【図１】  図１は、ヘッドレストシート１をヘッドレスト２に、上から覆い被せた状態を側面から見た図面である。
【図２】  図２は、ヘッドレストシートの展開図である。
【符号の説明】
【００１３】１    ヘッドレストシート
２    ヘッドレスト
３    社名文字や社名やメッセージなどの印刷位置
４    社名文字や社名やメッセージなどの印刷位置
５    覆い被せたシートを固定するための切り込み部分
【図１】
0003134881.tif 000003
【図２】
0003134881.tif 000004
(57)【要約】      （修正有）【課題】観賞魚の水槽などの水の排水並びに貯水する手間を簡単にする。【解決手段】密閉できる構造を持つ栓を備えた液体容器において、その上面に２本の中空のパイプを貫通させた栓で液体容器の開口部をしっかりと栓をして、液体容器の外側と内側との空気圧の差異を利用して水の移動を生じさせ、水槽などからこの液体容器への排水と共に貯水を可能とし、併せてこの液体容器に入れた新たな水を水槽などへ給水することを可能とする。市販されている液体容器を用い、その備えた栓を取り外し、上面に２本の中空のパイプを貫通させた栓を取り付け、液体容器の開口部をしっかりと栓をして、液体容器の外側と内側との空気圧の差異を利用して水の移動を生じさせ、この液体容器と他の容器との間で水の給排水を可能とする。【選択図】図１
0003134890.tif 000002
【実用新案登録請求の範囲】
【請求項１】
密閉できる構造を持つ栓を備えた液体容器において、その上面に貫通させた２本の中空のパイプを持つ栓を備えた液体容器を用い、液体容器の外側と内側との空気圧の差異を利用して液体の移動を生じさせ、他の容器からのこの液体容器への液体の排水と共にこの液体容器への液体の貯水を可能とし、併せてこの液体容器から他の容器への液体の給水をも可能とする液体容器。
【請求項２】
市販されている液体容器に具備している密閉できる構造を持つ栓に替え、その上面に貫通させた２本の中空のパイプを持つ栓を用い、液体容器の外側と内側との空気圧の差異を利用して液体の移動を生じさせ、この液体容器と他の容器と間で液体の排水並びに給水を可能とする取り替え栓。
【考案の詳細な説明】
【技術分野】
【０００１】この考案は観賞魚などの飼育に用いる水槽などの水の交換を簡単にする為の給排水装置に関するものである。
【背景技術】
【０００２】従来、水槽などの中の水を排水するにはコップ状の器で汲み上げたり、パイプなどを用いて水を吸い出していた。
【考案の開示】
【考案が解決しようとする課題】
【０００３】これらの方法にはおいては、いずれも汲み出した水を入れる容器などを用意する必要があった。また、不要の水を他所へ移動させ、廃棄させる手間も掛かっていた。
一方では、水槽などへ給水するには、バケツなどの他の容器に水を用意する必要があった。これらの手間を一度に解決させ、簡単にしたいとの課題があった。
【課題を解決するための手段】
【０００４】これらの課題を解決するため、密閉できる構造を持つ栓を備えた液体容器において、その上面に貫通させた２本の中空のパイプを持つ栓で液体容器の開口部をしっかりと栓をした後、通気に用いるパイプを介して液体容器の外側と内側との空気圧の差異を利用して水の移動を生じさせ、給排水しようとするものである。【０００５】すなわち、密閉できる構造を持つ栓を備えた液体容器１において、その上面に２本の中空のパイプ３と４を貫通させた栓２で開口部をしっかりと栓をした後、排水しようとする水槽の中に通水に用いるパイプ３の一端３ａを入れる。【０００６】その後、通気に用いるパイプ４の一端４ａから口で空気を吸い込むと、液体容器１の中の空気が減圧となり、水は通水パイプ３の一端３ａから吸い上げられ、通水パイプ３を介し液体容器１の中にある通水パイプ３の他の一端３ｂに吐き出すきっかけとする。【０００７】その後、液体容器１を水槽の位置より低くすることにより、水槽などの中の水が自然に落下し、落下した水を液体容器１に溜めることが可能となる。【０００８】この様に、液体容器の外側と内側との空気圧の差異を利用して水の移動を生じさせ、水の排水並びに貯水を可能とする液体容器を提供するものである。【０００９】また、市販されている液体容器に具備している栓に替え、その上面に貫通させた２本の中空のパイプを持つ栓２を用い、液体容器の開口部をしっかりと栓をした後、排水しようとする水槽の中に通水パイプ３の一端３ａを入れる。【００１０】その後、通気パイプ４の一端４ａから口で空気を吸い込むと、液体容器１の中の空気が減圧となり、水は通水パイプ３の一端３ａから吸い上げられ、通水パイプ３を介し液体容器１の中にある通水パイプ３の他の一端３ｂに吐き出すきっかけとする。【００１１】その後、液体容器１を水槽の位置より低くすることにより、水槽内の水が自然に落下し、排水した水を液体容器１に溜めることが可能となる。【００１２】この様に、液体容器の外側と内側との空気圧の差異を利用して水の移動を生じさせ、水の排水を可能とする取替え栓を提供するものでもある。【００１３】いずれの場合においても、水槽内の水を排水し液体容器の中に貯水した後は、栓を取り除き、液体容器に溜めた水を廃棄する。【００１４】また、水槽などへの給水の方法としては、この逆の原理を用い、穏やかな流速による給水が可能となるものである。【００１５】すなわち、給水しようとする水を入れた液体容器１において、その上面に貫通させた２本の中空のパイプを持つ栓２で液体容器の開口部をしっかりと栓をした後、通水パイプ３の一端３ａを水槽の中に入れる。【００１６】その後、通気パイプ４の一端４ａから口で空気を吹き込むと、高圧となった空気の力が液体容器１の中の水を押すこととなり、水は通水パイプ３の一端３ｂから押し上げられ、通水パイプ３を介し通水パイプ３ａから水槽内へ送り込むきっかけとする。【００１７】その後、液体容器１の位置を水槽の位置より高くすることにより、液体容器１の中の水が自然に落下し、水槽内に穏やかな流速による給水をも可能となる。
【考案の効果】
【００１８】この考案は、水の排水と給水の２つの機能を持ち合わせた装置を提供するものであり、全ての液体の給排水に用いることが出来るものである。
【考案を実施する為の最良の形態】
【実施例】
【００１９】市販されているペットボトル類を用いて、具備している栓を取り外して、上面に貫通させた２本の中空のパイプを持つ栓を取り付けて、液体容器の開口部をしっかりと栓をした後、液体容器の外側と内側との空気圧の差異を利用して水の移動を生じさせ、この容器と他の容器との間で排水並びに給水を簡単にするものである。
【図面の簡単な説明】
【００２０】
【図１】液体容器１に密閉できる構造を持つ栓２に貫通させた２本の中空のパイプ３と４を示したものである。
【符号の説明】
【００２１】  １  液体容器
２  液体容器の開口部を密閉できる構造を持つ栓
３  栓の上面に貫通させた液体の通水に用いる中空のパイプ
４  栓の上面に貫通させた空気の通気に用いる中空のパイプ
【図１】
0003134890.tif 000003
(57)【要約】      （修正有）【課題】電磁波の外部漏洩が十分に防止され、なおかつ調理の状態もよく見える構造の電子レンジを提供する。【解決手段】電子レンジの加熱室内を映すためのビデオカメラを有し、映像デイスプレーが外側に付いた構造の電子レンジである。加熱室２の天井に小穴３を開けて光ファイバー・スコープ４を取り付ける。光ファイバー・スコープ４は、ビデオカメラ５の撮像部に連結される。加熱室内の映像は、ビデオカメラ５からアンプ７を経由して、電子レンジの扉に取り付けられた映像デイスプレー９に映し出される。映像デイスプレー付き電子レンジは、調理の状態が映像デイスプレーでよく見える。窓が無いので電磁波も十分に遮断される。他の映像デイスプレー付き電子機器との組み合わせにより、多様な複合型電子機器を提供する。【選択図】図１
0003134889.tif 000002
【実用新案登録請求の範囲】
【請求項１】
加熱室内を映すためのビデオカメラを有し、映像デイスプレーが外側に付いた構造を特徴とする電子レンジ。
【請求項２】
電子レンジの外側に映像デイスプレーがある薄型テレビを取り付けた構造を特徴とする複合型電子機器。
【請求項３】
電子レンジの外側に映像デイスプレーがある録画再生装置を取り付けた構造を特徴とする複合型電子機器。
【請求項４】
電子レンジの外側に映像デイスプレーがあるパソコンを取り付けた構造を特徴とする複合型電子機器。
【請求項５】
電子レンジの外側に映像デイスプレーがある防犯用監視カメラを取り付けた構造を特徴とする複合型電子機器。
【考案の詳細な説明】
【技術分野】
【０００１】    本考案は、映像デイスプレーが外側に付いた構造を特徴とする電子レンジに関するものである。
【背景技術】
【０００２】    電子レンジは、発明された当初より技術的に矛盾する問題を抱えていた。それは、調理中の状態がよく見える構造と、電磁波の外部漏洩防止の構造との矛盾である。【０００３】    その結果従来の電子レンジは、調理の状態を見るために、強化ガラスに網目状の導電体が貼り付けられた窓を持つ構造であった。【０００４】    その網目状の導電体にさえぎられて、従来の電子レンジは、調理の状態がよく見えないという欠点があった。
【考案の開示】
【考案が解決しようとする課題】
【０００５】    電磁波の外部漏洩が十分に防止され、なおかつ調理の状態もよく見える構造の電子レンジを提供することが課題である。
【課題を解決するための手段】
【０００６】    この課題を解決するための請求項１の考案は、加熱室内を映すためのビデオカメラを有し、映像デイスプレーが外側に付いた構造を特徴とする電子レンジである。【０００７】    具体的手段の１実施例として、電子レンジ１の加熱室２の天井に小穴３を開けて、そこに光ファイバー・スコープ４の対象レンズを取り付ける。【０００８】    光ファイバー・スコープ４は、加熱室２の外部にあるビデオカメラ５の撮像部に連結される。【０００９】    加熱室２内の映像は、ビデオカメラ５から映像信号として、ケーブル６を通ってアンプ７へ送られる。【００１０】    加熱室２内の映像は、アンプ７からの映像信号として出力ケーブル８を通って、電子レンジの扉の外側に取り付けられた映像デイスプレー９に映し出される。
【考案の効果】
【００１１】    本考案の映像デイスプレー付き電子レンジは、調理の状態が映像デイスプレーでよく見える、という効果がある。【００１２】    本考案の映像デイスプレー付き電子レンジは、調理の状態を見るための窓が無いので、電磁波も十分に遮断される、という効果がある。【００１３】    本考案は、他の映像デイスプレー付き電子機器との組み合わせにより、多様な複合型電子機器を提供する、という効果がある。【００１４】    さらに本考案は、多様な複合型電子機器の提供により、省スペースを実現する、という効果がある。
【実施例１】
【００１５】    本考案の請求項１に関する、１実施例を、図１に示す。
【実施例２】
【００１６】    本考案の請求項２に関する、電子レンジの扉に薄型テレビを取り付けた構造の、複合型電子機器。（図２）
【実施例３】
【００１７】    本考案の請求項３に関する、電子レンジの扉に映像デイスプレーがある録画再生装置を取り付けた構造の、複合型電子機器。（図２）
【実施例４】
【００１８】    本考案の請求項４に関する、電子レンジの扉に映像デイスプレーがあるパソコンを取り付けた構造の、複合型電子機器。（図２）
【実施例５】
【００１９】    本考案の請求項５に関する、電子レンジの扉に映像デイスプレーがある防犯用監視カメラを取り付けた構造の、複合型電子機器。（図２）
【産業上の利用可能性】
【００２０】    電子レンジはその利便性から家庭および業務用として、調理の必需品となっている。本考案の映像デイスプレー付き電子レンジは、調理の状態を映像デイスプレーでよく見ることができる。その結果、調理の幅が広がり、電子レンジの利便性と調理の楽しさが増大することになる。【００２１】    本考案は、他の映像デイスプレー付き電子機器と組み合わせて、多様な複合型電子機器を実現する。具体例として、ビデオ映像の再生装置との組み合わせにより、料理教室の映像やミュージックビデオを楽しむことができる。【００２２】    本考案はさらに、大型化の傾向にある電子レンジとテレビ等の組み合わせにより、省スペースを可能にする。
【図面の簡単な説明】
【００２３】
【図１】    本考案の、請求項１に関する１実施例の透視図である。
【図２】    本考案の、請求項２から請求項５に関する、実施例２から実施例５を合わせて示す透視図である。
【符号の説明】
【００２４】  １  本考案の、映像デイスプレー付き電子レンジ
２  加熱室
３  加熱室の天井の小穴
４  光ファイバー・スコープ
５  ビデオカメラ
６  ケーブル
７  アンプ
８  出力ケーブル
９  映像デイスプレー
１０  加熱室の床
１１  操作パネル
１２  タイマー
１３  扉の開閉レバー
１４  扉と本体の連結軸
１５  テレビ信号入力ケーブル
１６  スピーカー
１７  防犯監視カメラのレンズ
１８  操作スイッチ
１９  ビデオ映像記録媒体の挿入口
【図１】
0003134889.tif 000003
【図２】
0003134889.tif 000004
(57)【要約】      （修正有）【課題】直接目で見ることの出来ない所を見る、ための、器具の改善。【解決手段】一般に電気工事士は懐中電灯３を常備している、その懐中電灯を流用して、懐中電灯付き反射鏡１を作った。反射鏡の柄２、に保持具４、を付けツマミ５、を摘まむと４の円筒部が開き懐中電灯を装着出来る。【選択図】図１
0003134888.tif 000002
【実用新案登録請求の範囲】
【請求項１】
懐中電灯取り付け用保持具を付けた反射鏡。
【考案の詳細な説明】
【技実分野】
【０００１】本考案は直接目で見る事の出来ない、所、たとえば、棚の暗い奥、電気のスイッチ取り付け穴の中、下水ハンドホールのパイプの中、自動車のエンジンの奥、などに光を照らし、見ることのできる、器具、懐中電灯つき反射鏡、の改善。
反射鏡の柄に懐中電灯を取り付けるための保持具に関する。
【背景技実】
【０００２】従来の懐中電灯付き反射鏡は懐中電灯が固定されていて懐中電灯の替えが出来ず、高額なものになっていた。壊す、なくす、盗られる、などを考えると、買う気、に、ならなかった、実用性がない、従来電気工事士は懐中電灯を常備携帯している、その懐中電灯を利用して、反射鏡の柄に、取り付ければ、安価な、懐中電灯付き反射鏡が、提供できる。
【考案の開示】
【考案が解決しようとする課題】
【０００３】反射鏡の柄に懐中電灯を簡単に取り付け、取り外しが出来、市売の色々な懐中電灯を使用可能にする、自前の懐中電灯を使うので、鏡だけの購入となり、安価で、携帯も良く、安心して現場に持っていけ、なくす、盗られる、壊される、などの、しんぱいも、少し無くなる。
【課題を解決するための手段】
【０００４】反射鏡に柄を付け、柄に懐中電灯用取り付け保持具をつける。
【考案の効果】
【０００５】懐中電灯取り付け保持具付き反射鏡のみ、購入し自前の懐中電灯を取り付け、点灯すると、光は反射鏡にあたけ屈折して、直接目で見る事の出来ない所を良く照らし出し、反射鏡に見たい所が、写る。
終わった後は、分離して、鏡は鏡、懐中電灯は懐中電灯として、別々の目的に使用する。
【考案を実施するための最良の形態】本考案に係る懐中電灯取り付け用保持具は、図１で示すように反射鏡の柄、２、に備えている、そしてツマミ、５、を指で摘まむと、４、の円筒部が開いて、懐中電灯を取り付け出来る、外すのも同様である、４、は板バネで作るので、しっかりと保持できる、又、４、の円の大きさは、単１、２、３、４、の各電池を使った懐中電灯の太さに合わせるとよい。
【図面の簡単な説明】
【０００７】
【図１】本考案の使用中の正面図である。
【図２】本考案の反射鏡の柄に付けた、保持具の斜面図である。
【図３】本考案の反射鏡の柄に付けた、保持具の断面図である。
【図４】使用中の図
【図５】使用中の図
【０００８】１      反射鏡
２      柄
３      懐中電灯
４      板バネ製保持具
５      つまみ
【図１】
0003134888.tif 000003
【図２】
0003134888.tif 000004
【図３】
0003134888.tif 000005
【図４】
0003134888.tif 000006
【図５】
0003134888.tif 000007
(57)【要約】      （修正有）【課題】吸盤などの負圧を利用した吸着物体を吸着しにくい表面に吸着させる吸着補助物体。【解決手段】吸盤Ａを、吸着しようとする物体Ｃに取り付けようとするとき、吸盤と物体の中間にエラストマー製吸盤用吸着補助板Ｂ、または、中央部に穴を開けたエラストマー製吸盤用吸着補助板を置く。【選択図】図１
0003134886.tif 000002
【実用新案登録請求の範囲】
【請求項１】
吸盤などの負圧を利用した吸着器具を空気の漏れが原因で吸着できない吸着面に吸着させるためのエラストマ−製吸盤用吸着補助板。
【請求項２】
中央部に穴を開けた請求項１のエラストマ−製吸盤用吸着補助板。
【考案の詳細な説明】
【考案の明細な説明】
【産業上の利用分野】
【０００１】今考案は吸盤を吸着させる補助板に関するものである。
【背景技術】
【０００２】吸盤などの負圧を利用した吸着器具を相対する物体に吸着しようとした場合、相手の表面と吸盤の接する部分が空気を遮断する必要がある。したがって、相手の表面が平滑なものであれば、空気を遮断することができるが、表面粗度の大きな物体に吸盤を取り付けようとした場合、吸盤の接触面がうまく密着できず空気を遮断することができなくなってしまう。
このことから、すりガラス状の表面や細かな凹凸のある表面には、吸盤などの吸着器具が使用不可能であった。
【発明が解決しようとする課題】
【０００３】本考案が解決しようとする課題は、吸盤などの負圧を利用した吸着器具に吸着補助板を使用し、吸着器具が吸着できなかった物体の表面に吸着できるようにすることである。
【課題を解決するための手段】
【０００４】吸盤（図１−Ａ）を、吸着しようとする物体（図１−Ｃ）に取り付けようとするとき、吸盤（図１−Ａ）と物体（図１−Ｃ）の中間にエラストマ−製吸盤用吸着補助板（図１−Ｂ）を置く。
【作用】
【０００５】エラストマ−製吸盤用吸着補助板（図１−Ｂ）が持つ、べたついた表面構造が物体（図１−Ｃ）表面の小さな溝や穴に入り込む事で密着する。
また、エラストマ−製吸盤用吸着補助板（図１−Ｂ）の吸盤（図１−Ａ）と接触する面は、平滑なので吸盤（図１−Ａ）とエラストマ−製吸盤用吸着補助板（図１−Ｂ）も良好な密着状態がえられる。
吸盤（図１−Ａ）の接触面は、エラストマ−製吸盤用吸着補助板（図１−Ｂ）に密着し、さらにエラストマ−製吸盤用吸着補助板（図１−Ｂ）は吸着しようとする物体（図１−Ｃ）の表面に密着するので、吸盤（図１−Ａ）は、エラストマ−製吸盤用吸着補助板（図１−Ｂ）を仲介して擬似的に吸着しようとする物体（図１−Ｃ）の表面に密着するのである。
各面が密着状態になるので空気漏れがなくなるので、吸盤などの負圧を利用した吸着器具が今まで固定できなかったような物体にも固定できるようになるのである。
【実施例】
【０００６】吸着しようとする物体（図１−Ｃ）の表面が大きく凹凸している場合、エラストマ−製吸盤用吸着補助板（図１−Ｂ）のべたついた表面構造だけでは密着が保てなくなる。  この場合は、物体（図１−Ｃ）に接する面を物体（図１−Ｃ）の表面に密着するようにあらかじめ整形することで、物体（図１−Ｃ）とエラストマ−製吸盤用吸着補助板（図１−Ｂ）が密着できるようになり、同様の効果が得られる。
また、吸盤（図１−Ａ）に大きな力が働いたとき、エラストマ−製吸盤用吸着補助板（図１−Ｂ）は、吸盤（図１−Ａ）が発生する負圧で変形、膨張し、その変形が物体（図１−Ｃ）との接触面を引っ張ってしまったり、浮き上がらせてしまったりするので、物体（図１−Ｃ）と密着できなくなり、取れてしまうことがある。
その場合は、エラストマ−製吸盤用吸着補助板（図１−Ｂ）の中央部に穴を開けたエラストマ−製吸盤用吸着補助板（図２−Ｂ）を使用することで、より強力に吸盤が固定できるようになる。
吸盤（図２−Ａ）と物体（図２−Ｃ）の間に遮るものがなくなるので、吸盤（図２−Ａ）は適切な負圧を発生することができる。
さらにエラストマ−製吸盤用吸着補助板（図２−Ｂ）を吸盤（図２−Ａ）の負圧で変形させることがなくなるので、物体（図１−Ｃ）との密着に影響を与えず良好な固定ができるようになるのである。
エラストマ−製吸盤用吸着補助板は、弾力のある機密性の高いジェル状素材やシリコン系素材でも同様の効果が得られる。
【発明の効果】
【０００７】吸盤が使用不可能とされていた、荒れた表面や、すりガラス、紙のように粗度が大きな場所、車のダッシュボ−ドなど成型時に作られた思慕表面などに本考案のエラストマ−製吸盤用吸着補助板を使用することで、吸盤は安全に固定できるようになる。
【図面の簡単な説明】
【０００８】
【図１】吸盤と吸着補助材及び対象物の断面図  Ａ  吸盤  Ｂ  エラストマ−製吸盤用吸着補助板  Ｃ  吸着しようとする物体
【図２】吸盤と中央部に穴を開けた吸着補助材及び対象物の斜視図  Ａ  吸盤  Ｂ  中央部に穴を開けたエラストマ−製吸盤用吸着補助板  Ｃ  吸着しようとする物体
【図１】
0003134886.tif 000003
【図２】
0003134886.tif 000004
(57)【要約】      （修正有）【課題】フエイス面を平面に近い形にする事でクラブの開き具合や方向制を考えなくて普通にスタンスが出来るクラブを提供する。【解決手段】ライ角５４度、ロフト角８０度、フエイス面に対してバンス角５６度の形状をもったクラブヘッド。【選択図】図１
0003134838.tif 000002
【実用新案登録請求の範囲】
【請求項１】
今のゴルフクラブの、サンドウエッジやアプロ−チウエッジでのバンカ−ショツトやロブショツトでは、クラブのフエイスを開いてショツトするので、フエイスの開き形や方向制が難しく誰でも、バンカ−や、ラフからのショツトが優しく打てるフエイスを開かなくても良い、クラブフエイスが開いた状態に近いゴルフクラブをと思い考案しました。
【考案の詳細な説明】
【技術分野】
【００１】
【背景技術】
【００２】
【考案の開示】
【考案が解決しようとする課題】
【００３】バンカ−ショツトやロブショツトは今のクラブでは、クラブフヘイスを開いてショツトする為にアマチアは使い方が、難しく誰でもなかなか上手く打てないので優しく打てる事が出来ないか考えました。
【課題を解決するための手段】今のクラブはショツトするためにスタンスを取るとロフトとライ角の関係でフエイス面が立っているのでフエイス面を平面に近くすることで打ちやすくなる。
【考案の効果】クラブフエイスを開かなくて良いのでスタンスが取りやすく、いろいろな事を考えなくてスム−ズに打てる。
【図面の簡単な説明】
【図１】クラブの上面図
【図２】クラブの断面図
【符号の説明】
１          クラブのロフト角
２
【図１】
0003134838.tif 000003
【図２】
0003134838.tif 000004
【手続補正書】
【提出日】平成19年3月22日(2007.3.22)
【手続補正１】
【補正対象書類名】実用新案登録請求の範囲
【補正対象項目名】全文
【補正方法】変更
【補正の内容】
【実用新案登録請求の範囲】
【請求項１】
・今のゴルフクラブの、サンドウエッジやアプローチウエッジ
・でのバンカーショツトやロブショツトは、クラブのフエイス
・を開いてショツトするので、フエイスの開き形や方向制が
・難しくて誰でも、バンカーショツトやロブショツトが、
・優しく打てるフエイスを開かなくても良い、
・クラブフエイスが、フラットな形状を有する
・ゴルフクラブ。
【手続補正書】
【提出日】平成19年5月29日(2007.5.29)
【手続補正１】
【補正対象書類名】実用新案登録請求の範囲
【補正対象項目名】全文
【補正方法】変更
【補正の内容】
【実用新案登録請求の範囲】
【請求項１】
このゴルフクラブで誰でも、優しくバンカーショツトや    ロブショツトがフエイスを開かなくても打てるクラブで    ライ角５４度，ロフト角８０度，フエイス面に対して    バンス角５６度の形状をもったクラブヘッド。
(57)【要約】      （修正有）【課題】健常者はもとより、高齢者や子ども、上肢障害者にも容易にドアを開閉できるレバーハンドル式ドアノブを提供することである。【解決手段】本考案に係るレバーハンドル式ドアノブは、従来のレバーハンドル式のドアノブのハンドルの角度を斜め上に傾けることによって、ハンドルをひねりラッチの解錠及びドアを開閉する際にドアノブが水平となり、水平な状態で使用することで、健常者はもとより、高齢者や子ども、上肢障害者の解錠時の負担を軽減することを可能とした。【選択図】図４
0003134836.tif 000002
【実用新案登録請求の範囲】
【請求項１】
レバーハンドル式ドアノブの、ハンドルのグリップ部分を水平から斜め上方向に傾斜をつけることによって、ラッチの解錠時及びドアの開閉時におけるドアノブのハンドルの角度が水平になることで、従来のドアノブのハンドルのように斜め下に傾いた状態でハンドルを保持することがなくなり、ハンドルの保持及び解錠時の負担を軽減できることを特徴とするレバーハンドル式ドアノブ。
【考案の詳細な説明】
【技術分野】
【０００１】
本発明は、健常者はもとより高齢者、子ども及び上肢障害者（片麻痺や握力障害、指欠損障害など）にとって、従来のレバーハンドル式のドアノブよりも容易にドアを開閉でき、筋力の負担を軽減した特長をもつレバーハンドル式のドアノブに関するものである。
【背景技術】
【０００２】
ドアノブはこれまでのにぎり玉式のドアノブからレバーハンドル式のドアノブに移行して、現在普及率は一般住宅の９割に及んでいる。
【０００３】
これまでのにぎり玉式のドアノブは、両手が塞がっている場合や上肢に障害がある（片麻痺や握力障害、指欠損障害など）または高齢者や子ども等握る力が弱い場合等に、ドアの開閉が困難であった。
【０００４】
レバーハンドル式のドアノブは、レバーによる梃子の応用で、前記の握り玉式のドアノブよりも比較的少ない力でドアを開閉できるようになったため、現在ではこのレバーハンドル式のドアノブが普及しているが、レバーハンドル式のドアノブについても、ドアノブの形状や角度またはその使用状況によって、ドアノブを保持した状態でドアを開閉するには困難を要する場合があった。
【考案の開示】
【考案が解決しようとする課題】
【０００５】
従来のレバーハンドル式のドアノブは、ドア開閉時にドアノブの角度が斜め下に傾くため、高齢者や子ども、上肢障害者（片麻痺や握力障害、指欠損障害など）など握力や筋力が弱い使用者にとって、ドアノブの位置を斜め下に傾いた状態で保持することは困難な場合がある。また健常者においても、両手が塞がっている際などにドアを開閉する場合など、ドアノブが斜め下に傾いているため、力が逃げて滑るなどの課題があり、そのような状態を回避して、容易にドアを開閉できるドアノブの形状や機構が求められていた。本発明の課題は、健常者はもとより、高齢者や子ども、上肢障害者（片麻痺や握力障害、指欠損障害など）にも容易にドアを開閉できるレバーハンドル錠を提供することである。
【課題を解決するための手段】
【０００６】
以上のように、一般に使用されている従来のレバーハンドル式ドアノブには、未だ解決できていない課題があったため、課題解決のため鋭意取り組んだ。
【０００７】
本考案に係るレバーハンドル式ドアノブは、従来のレバーハンドル式のドアノブのハンドルの角度を斜め上に傾けることによって、ハンドルをひねりラッチの解錠及びドアを開閉する際にドアノブが水平となり、水平な状態で使用することで、健常者はもとより、高齢者や子ども、上肢障害者（片麻痺や握力障害、指欠損障害など）の解錠時の負担を軽減することを可能とする。
【考案の効果】
【０００８】
本考案は、従来のレバーハンドル式のドアノブの角度をあらかじめ斜め上方に傾け、解錠時に水平になるよう調整することによって、健常者はもとより、高齢者や子ども、上肢障害者（片麻痺や握力障害、指欠損障害など）の区別なく、少ない負担で解錠でき容易にドアを開閉できるレバーハンドル式のドアノブとなる。
【考案を実施するための最良の形態】
【０００９】
以下に本発考案の実施形態に係るレバーハンドル式ドアノブについて説明する。
【００１０】
このレバーハンドル式ドアノブは、従来のドアに設置でき、取り付け方法及び取り付け位置についても、従来のモジュールを変更することなく設置可能であり、対象に応じて調整可能である。また、ドアノブの材料は、金属、プラスチック、木質、陶磁器等、様々な材料で構成できる。
【００１１】
次に本考案の実施例を示すが、本考案はもとより下記実施例によって何ら制限を受けるものではなく、前後記の趣旨に適合し得る範囲で、適切に変更を加えて実施することも勿論可能であり、それらはいずれも本考案の技術的範囲に含まれる。
【実施例１】
【００１２】
図１は本考案の請求項１であり、実施例１に係わる平面図。図２はその立面図。図３はその側面図。図４はドアノブの動作説明図で、実線が通常時の状態、破線がドア解錠時の状態でドアノブが水平位置にあるもの。図５は本考案の斜視図である。これらの図において、１はドアノブのレバーハンドル部分で、２はドアノブの軸である。図１のようにレバーハンドル式ドアノブのハンドルのグリップ部分を、ドア開閉時（ラッチ解錠時）にハンドルが水平となるように、設置時にあらかじめ斜め上に傾斜をつけることで、ドア開閉時の筋力の負担を軽減することができる。
【００１３】
このようにして、容易に使用できるレバーハンドル式ドアノブにより、健常者はもとより、高齢者や上肢障害者にとっても、ドアの開閉時に筋力の負担を軽減することができる。
【産業上の利用可能性】
【００１４】
家庭や建物用のレバーハンドル錠のほか、搬送用車両等のレバーハンドル錠にも適応できる。
【図面の簡単な説明】
【００１５】
【図１】本考案に係わる平面図である。
【図２】本考案に係わる立面図である。
【図３】本考案に係わる側面図である。
【図４】本考案のドアノブの動作説明図である。
【図５】本考案の斜視図である。
【符号の説明】
【００１６】
１  ドアノブのレバーハンドル部分
２  ドアノブの軸の部分
【図１】
0003134836.tif 000003
【図２】
0003134836.tif 000004
【図３】
0003134836.tif 000005
【図４】
0003134836.tif 000006
【図５】
0003134836.tif 000007
(57)【要約】【課題】これまでに提案されている足裏全域や土踏まずの全域のマッサージを行う突起物等の付設では、特定臓器に対応したツボを効果的にマッサージすることにはならないことの改善にある。本考案は、足裏のほぼ中央にある腎臓のツボに対し充分なマッサージ効果を有する中敷きを提供する。【解決手段】足裏のツボを広範囲でマッサージする従来の履物関連品とは異なり、腎臓のツボを集中的にマッサージするための中敷きの構造を、腎臓のツボの位置に腎臓のツボの領域に相似した概楕円形状の突起物を有するものにした。【選択図】図１
0003134818.tif 000002
【実用新案登録請求の範囲】
【請求項１】
足裏のツボのうち、足裏のほぼ中央にある腎臓のツボを効果的にマッサージするための突起物を有する構造の靴、サンダル又はスリッパに装着するための中敷き。
【考案の詳細な説明】
【技術分野】
【０００１】
本考案は、腎臓のツボをマッサージするための突起物を有する靴の中敷きに関する。
【背景技術】
【０００２】
日常生活において自然に足裏のツボをマッサージすることは健康上極めて有効であり、特に腎臓のツボをマッサージすることは、健康の源であるといわれている。これまでに、土踏まず全域と周辺部をマッサージするための多数の突起物を設けた中敷き（例えば、特許文献１参照。）、土踏まずをマッサージするための湾曲板を設けたサンダル（例えば、特許文献１参照。）が提案されている。これらはいずれも足裏の土踏まずの全域と周辺部をマッサージするように突起物や湾曲板が設けられており、足裏の多くのツボをマッサージすることは可能であるが、同時に多くのツボをマッサージすることは刺激が分散し、従って効果が薄れ、良好な足裏マッサージであるとは言えない。例えば腎臓のツボをマッサージしたいとする目的に適うものではない。
【０００３】
【特許文献１】実用新案登録第３０７６７７７号公報
【特許文献２】実用新案登録第３０３７３０２号公報
【考案の開示】
【考案が解決しようとする課題】
【０００４】
本考案が解決しようとする課題は、これまでに提案されている足裏全域や土踏まずの全域のマッサージを行う突起物等の付設では、特定臓器に対応したツボを効果的にマッサージすることにはならないことの改善にある。本考案は、足裏のほぼ中央にある腎臓のツボに対し充分なマッサージ効果を有する中敷きを提供する。
【課題を解決するための手段】
【０００５】
本考案は、足裏のツボを広範囲でマッサージする従来の履物関連品とは異なり、腎臓のツボを集中的にマッサージするための中敷きの構造を、腎臓のツボの位置に腎臓のツボの領域に相似した概楕円形状の突起物を有するものにした。
【考案の効果】
【０００６】
本考案の中敷きを使用することにより、歩行中や立った状態で、腎臓のツボが特別に意識することなく自然にマッサージされ、むくみや足の疲労感の低減、利尿作用の活発化による就寝中のトイレ回数の減少、排泄が順調となることによる腹回りの痩身等腎臓の活性化に伴う効果が発揮される。
【考案を実施するための最良の形態】
【０００７】
本考案の中敷きは、靴等の履物に挿入して使用し、歩行中や立った状態で、腎臓のツボをマッサージするものであり、以下実施するための最良の形態を図面により説明する。
【０００８】
足裏のツボの分布の概要を図４に示す。腎臓のツボ３は図４に示すように、足裏のほぼ中央にあり、長軸が概略２５ｍｍの楕円形状をしている。この腎臓のツボをマッサージすることにより腎臓が活性化するが、図１に示す靴、サンダル又はスリッパの中敷きとして装着して行えば、日常生活のなかで自然な形で腎臓のツボがマッサージされることになり極めて有用である。
【０００９】
人間の内臓器官の中で、腎臓は尿を作り、体内の水分調整や電解質の調整、血圧の調整等多くの役割がある。このような作用を有する腎臓を健康に保つことは人生での最大級の幸せであり、異論のないところである。
【００１０】
足裏のツボをマッサージするには、多数の小さい突起物や広い面で均一に刺激するのではなく、目的とする所定の１つのツボを、弾力性を有した１つの突起物で刺激するのが効果的であることが考案者の研究で明らかになった。すなわち、腎臓のツボをマッサージするには、マッサージのための突起物は腎臓のツボの領域よりやや大きめで、高さ２〜５ｍｍの概楕円形状の突起物とするのがよい。また図２に示すように足の外側に向かって２〜３分割し、複数の山３を有する形状の突起物とすれば、歩行時の靴の中での足のブレを吸収することになり、腎臓のツボへのマッサージ効果がより大きくなる。
【００１１】
中敷きの素材はＥＶＡ（エチレン酢酸ビニール共重合樹脂）樹脂がよく、体重をかけて押圧したとき硬過ぎずまた軟らか過ぎずマッサージ効果を最大に発揮させることができる。素材は本樹脂と同等弾力性等の性能を有するものであれば、ＥＶＡ（エチレン酢酸ビニール共重合樹脂）樹脂に限定するものではない。
【００１２】
本考案の中敷きを靴、サンダル又はスリッパに装着するときは、挿入した状態で使用すればよいが、開放型のサンダル等中敷きの挿入が不安定な場合は剥離テープ、接着テープ等により固定する必要があることは言うまでも無い。状況に応じて固定する手段を講ずればよい。また予め靴、サンダル又はスリッパと一体化させたものであってもよい。
【実施例】
【００１３】
本考案の詳細を実施例で説明する。本考案はこの実施例によって何ら限定されるものではない。
【００１４】
靴用の中敷きとして、ＥＶＡ（エチレン酢酸ビニール共重合樹脂）樹脂製の長軸４５ｍｍで、最大高さ３ｍｍの概楕円形状の２分割した突起物を有する図１に示す中敷きを作成し、通勤及び業務として使用する靴に接着剤等の手段を用いず単に挿入装着して使用することで考案の効果に記した結果を得た。
【図面の簡単な説明】
【００１５】
【図１】右足用の本考案中敷きの平面図である。
【図２】右足用の本考案中敷きの側面図である。
【図３】図１のＡ−Ｂ断面を示す図である。
【図４】足裏ツボの位置を示す参考図である。
【符号の説明】
【００１６】
１  中敷き
２  腎臓のツボをマッサージするための突起物
３  足裏の腎臓のツボ
４  ツボをマッサージする突起物の複数の山
【図１】
0003134818.tif 000003
【図２】
0003134818.tif 000004
【図３】
0003134818.tif 000005
【図４】
0003134818.tif 000006